(57)【要約】左右方向に延び、かつ、前後方向に互いに対向する少なくとも前後一対の針床を有し、前後の針床の少なくとも一方が左右にラッキング可能で、前後の針床間で編目の目移しが可能な横編機を用いて、複数の筒部が連続編成されて構成される筒状編地の編成方法であって、筒状編地の全体形状を人体の構造に合った形状とするように、所定の筒部に対して方向性を有する他の筒部について、当該方向性を有する他の筒部の編目を針床に対して空針への目移しと針床のラッキング動作により所定量回し動作をし、回し動作が行われた当該方向性を有する筒部と所定の筒部とを連結させる編成を行う。
2004020718.tif 000002
【特許請求の範囲】
【請求項１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて、複数の筒部が連続編成されて構成される筒状編地の編成方法であって、
筒状編地の全体形状を人体の構造に合った形状とするように、
所定の筒部に対して方向性を有する他の筒部について、当該方向性を有する他の筒部の編目を針床に対して空針への目移しと針床のラッキング動作により所定量回し動作をし、回し動作が行われた当該方向性を有する筒部と所定の筒部とを連結させる編成を行うことを特徴とする筒状編地の編成方法。
【請求項２】
筒状編地が手袋部と袖部と身頃部とを有するニットウエアであって、手袋部について、当該手袋部が編成された直後の編目を空針への目移しと針床のラッキング動作により、親指の指袋がニットウエアの編成完了後に体の前面側に向くように回し動作をした後に、手袋部と袖部と身頃部とを連続編成させることを特徴とする請求の範囲１に記載の筒状編地の編成方法。
【請求項３】
筒状編地が四本胴と親指の指袋を有する手袋であって、四本胴と親指の指袋の接合前に、親指の指袋について、当該指袋が編成された編目を空針への目移しと針床のラッキング動作により１／４周以下の範囲内で回し動作を行った後に、四本胴と親指の指袋の接合を行って、四本胴および親指の指袋を五本胴に連続させる編成を行うようにしていることを特徴とする請求の範囲１に記載の筒状編地の編成方法。
【請求項４】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて、複数の筒部が連続編成されて構成される筒状編地であって、
筒状編地の全体形状を人体の構造に合った形状とするように、
所定の筒部に対して方向性を有する他の筒部について、当該方向性を有する他の筒部の編目を針床に対して空針への目移しと針床のラッキング動作により所定量回し動作をし、回し動作が行われた当該方向性を有する筒部と所定の筒部とを連結させる編成が行われて構成されたことを特徴とする筒状編地。
【発明の詳細な説明】
【技術分野】  本発明は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて、使用目的の異なる複数の筒部が連続編成されて構成される筒状編地およびその編成方法に関するものである。
【背景技術】  一般にセーターや手袋は、使用目的の異なる複数の筒部が連続編成されて構成される。例えば、セーターは、袖部と身頃部とが筒状に編成されて、袖部と身頃部とが連続編成されており、また、手袋は、指袋、四本胴、五本胴が筒状に編成され、親指以外の指袋が四本胴に連続編成され、親指の指袋と四本胴とが五本胴に連続編成されている。
そして、セーター等のニットウエアや手袋は、横編機で編成する場合、通常はそれぞれの筒部は横編機の前針床において前側編成部を、後針床において後側編成部を編成しながら筒状に編成される。
ところで、セーターのようなニットウエアを横編機で編成する場合、通常は、前針床で前身頃と前袖を、後針床で後身頃と後袖を編成しながら、無縫製状態で各筒状編地を連続編成する。
本発明者は、ニットウエアの袖部に手袋を連続編成するようにしたニットウエアを発案したが、ニットウエアの袖部に手袋を連続編成しようとする場合、手袋は、通常、どちらかの針床で掌側の編地を他の針床で手の甲側の編地を編成するので、人体では、親指が体の前面側、小指が背面側にくるのに対し、手袋を編成した後にそのまま袖部を連続編成していくと、出来上がったニットウエアは、親指と小指が体の幅方向の両端にくるように編成されるため、体の構造に合わない形状となることに気が付いた。
また、手袋の場合、たとえば、一般の作業用手袋など、筒状の指袋と筒状の四本胴と筒状の五本胴とが連続して編成された手袋は、その殆どが左右兼用のタイプであるため、図７に示すように、小指１、薬指２、中指３、人差指４、親指５の指袋および五本胴の編成部が手の甲側または掌側において同一平面になるように編成されている。
しかしながら、実際の人の手の構造は、親指の指先の向き及び爪の向きが、小指、薬指、中指、人差指の指先の向き及び爪の向きと異なっており、しかも、掌は、掌全体に対して親指付け根部分が掌側に飛び出していて、親指が他の指よりも前に位置している。そのため上記のように平面的に編成された手袋では、手袋形状が手の形状と異なるため、手袋を着用したときに、親指の腹部分に親指５の指袋の編み始めに形成される指先カーブラインＸの両端こぶ部分Ｙが当たり、装着時に違和感が生じ、作業性が悪くなる不具合がある。
【発明の開示】
本発明は、筒状編地の全体形状を人体の構造に合った形状とすることにより、着用時における違和感を無くすことができる筒状編地およびこれを得るための編成方法を提供することを目的とする。
本発明の筒状編地の編成方法の発明は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて、複数の筒部が連続編成されて構成される筒状編地の編成方法であって、筒状編地の全体形状を人体の構造に合った形状とするように、所定の筒部に対して方向性を有する他の筒部について、当該方向性を有する他の筒部の編目を針床に対して空針への目移しと針床のラッキング動作により所定量回し動作をし、回し動作が行われた当該方向性を有する筒部と所定の筒部とを連結させる編成を行う。
本発明によれば、それぞれの筒部を連結させる前に、人体構造に合うように所定の筒部を回し動作しておくだけで、筒状編地を人体の構造に合う形状に編成することができ、筒状編地の着用時のフィット感を良好にすることができる。
また、上記の筒状編地の編成方法において、筒状編地が手袋部と袖部と身頃部とを有するニットウエアであって、手袋部について、当該手袋部が編成された直後の編目を空針への目移しと針床のラッキング動作により、親指の指袋がニットウエアの編成完了後に体の前面側に向くように回し動作をした後に、手袋部と袖部と身頃部とを連続編成させる。
この方法によれば、身頃部に対する手袋部の状態を、人体の構造に合わせた状態にすることができるので、ニットウエアの着用時のフィット感を良好にでき、かつ、着心地を良くすることができる。
また本発明の手袋は、筒状編地が四本胴と親指の指袋を有する手袋であって、四本胴と親指の指袋の接合前に、親指の指袋について、当該指袋が編成された編目を空針への目移しと針床のラッキング動作により１／４周以下の範囲内で回し動作を行った後に、四本胴と親指の指袋の接合を行って、四本胴および親指の指袋を五本胴に連続させる編成を行う。
この構成によれば、親指の指袋の回し動作により、手袋着用時において、人の親指の腹部分に、親指の指袋の編み始めに形成される指先カーブラインの両端こぶ部分が当たらないようにすることができ、親指の指袋を実際の人の手の親指形状に合った状態にすることができるので、手袋装着時の違和感が無くなって作業性を向上できる。
なお、親指の回し動作は、四本胴と親指の指袋を接合する前の状態から、親指における四本胴から最も離れた編目が掌側に回り込む方向に３／２０周から１／４周の範囲内で回すことが好ましい。
また本発明の筒状編地は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて、複数の筒部が連続編成されて構成される筒状編地であって、筒状編地の全体形状を人体の構造に合った形状とするように、所定の筒部に対して方向性を有する他の筒部について、当該方向性を有する他の筒部の編目を針床に対して空針への目移しと針床のラッキング動作により所定量回し動作をし、回し動作が行われた当該方向性を有する筒部と所定の筒部とを連結させる編成を行って筒状編地を構成した。
この構成によれば、筒状編地が人体構造に合う形状となるので、筒状編地の着用時のフィット感を良好にすることができる。
【図面の簡単な説明】  図１は本発明にかかる筒状編地のニットウエアについての第１実施形態であって、ニットウエアを前身頃側から見た状態を示す図である。図２は本発明にかかる筒状編地のニットウエアについての第１実施形態であって、ニットウエアを側面から見た状態を示す図である。図３は第１実施形態のニットウエアを編成するための編成手順を示す編成工程図である。図４は本発明にかかる筒状編地の手袋についての第２実施形態であって、掌側から見た親指を開いた状態を示す図である。図５は第２実施形態の手袋を編成するための編成手順を示す編成工程図である。図６は第２実施形態の手袋を編成するための編成手順を示す編成工程図である。図７は従来の手袋の平面図である。
【発明を実施するための最良の形態】  以下、本発明にかかる筒状編地およびその編成方法についての実施形態を図面に基づいて説明する。
第１実施形態は、ニットウエアからなる筒状編地であり、第２実施形態は、５本指の手袋からなる筒状編地である。そして、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いてニットウエアまたは手袋を編成する。
２枚ベッドの横編機は、筒状編地を編成する場合、前後の各針床（ベッド）においてそれぞれ１本おきの針を用いて編成を行うようにしており、例えば、前針床の奇数番目の針を主としてニットウエアの後身頃部分の編地、手袋の掌側部分を編成するために用い、後針床の偶数番目の針を主としてニットウエアの前身頃部分、手袋の甲側部分を編成するために用いる。
さらに、前後の針床は、一方の針床の編成用に用いられる針に対向する他方の針床の針を空針としており、この空針を目移しやリブ編み等を行うために用いるようになっている。
これら空針を用いることにより、リンクス、ガーター、リブなどの表目と裏目が混在した組織柄を編成したり、編目をコース方向に移動させて互いに接合することができるようになっている。
また、２枚ベッドの横編機を用いる場合、前後針床の一方または両方の上位にトランスファージャックを列設したトランスファージャックベッドを設けて編地を編成するようにしてもよい。
なお、本実施形態では、２枚ベッドの横編機を用いてニットウエアおよび手袋を編成するようにしているが、本発明は、上部前針床、下部前針床、上部後針床、そして下部後針床からなる４枚ベッドの横編機を用いて編成することもできる。
４枚ベッドの横編機を用いる場合には、例えば、下部前針床と上部後針床で前側編地を編成し、下部後針床と上部前針床で後側編地を編成し、前側編地を編成する際には、後側編地のループを全て下部後針床の針に係止させ、後側編地を編成する際には、前側編地のループを全て下部前針床の針に係止させて編成を行う。
図１から図３に第１実施形態を示す。第１実施形態の筒状編地は、手袋部９１ａ，９１ｂと袖部９２と身頃部９３とを有するニットウエア９であり、袖部９２と身頃部９３に対して手袋部９１ａ，９１ｂが方向性を有している。
第１実施形態は、手袋部９１ａ，９１ｂについて、当該手袋部９１ａ，９１ｂが編成された直後の編目を空針への目移しと針床のラッキング動作により、親指の指袋が、ニットウエア９の編成完了後に体の前面側に向くように１／４周以下の範囲内で回し動作をした後に、手袋部９１ａ，９１ｂに袖部９２を連続編成し、袖部９２を身頃部９３に接合することにより、図１、図２に示すように、ニットウエア９ができあがったとき、手袋部９１ａ，９１ｂの親指５の指袋が前身頃９３ａ側に位置し、小指１の指袋が後身頃９３ｂ側に位置するようにしている。
第１実施形態のニットウエア９の編成方法について、図３に基づいて説明する。まず、図３（ａ）に示すように右手用手袋部９１ａと左手用手袋部９１ｂを指先側から編成していく。
各手袋部９１ａ，９１ｂは、小指１、薬指２、中指３、人差指４、親指５の指袋、四本胴７、五本胴８、手首部８ａを有し、親指５が身頃部９３側に位置するように針床で編成する。本実施形態では、前針床（ＦＢ）で手の甲側の編地を編成し、後針床（ＢＢ）で掌側の編地を編成する。
そして、手袋部９１ａ，９１ｂの手首部８ａの編成を完了した後、図３（ｂ）に示すように、編成直後の編目を空針への目移しと針床のラッキング動作により、親指５の指袋が、ニットウエア９の編成完了後に体の前面側に向くように１／４周以下の範囲内で回し動作（図３（ｂ）の矢印方向に回す。）を行う。本実施形態では、１／４周回し動作を行っている。
手袋部９１ａ，９１ｂの回し動作が完了した後は、図３（ｃ）に示すように、手袋部９１ａ，９１ｂの手首部８ａに連続させて袖部９２を編成していく。このとき、身頃部９３も袖部９２とは別に同時に編成していく。
身頃部９３と袖部９２の接合は従来から行われている既存の無縫製による編成方法で行い、身頃部９３の肩部を伏せ目処理により接合して、衿ぐりの編成を行うことによりニットウエア９の編成を完了する。
以上のように、第１実施形態のニットウエア９は、袖部９２の先に手袋部９１ａ，９１ｂが連続編成されているが、この手袋部９１ａ，９１ｂは、ニットウエア９の編成完了時において、図２に示すように、親指５の指袋が前身頃９３ａ側に位置し、小指１の指袋が後身頃９３ｂ側に位置した状態にすることができるので、人体の構造に合ったニットウエア９形状とすることができる。
その結果、ニットウエア９の着用時において、体がニットウエア９に良好にフィットし、着心地を良好にできる。
なお、上記実施形態では、手袋部９１ａ，９１ｂの手首部８ａの編成が完了した時点で回し動作を行ったが、五本胴８を編終えた時点で回し動作を行って手首部８ａをリブ編組織で編成するようにしてもよい。
このように、手袋部９１ａ，９１ｂから袖部９２へと筒部のパートが切り替わる部分で回し動作を行ったり、手首部８ａをリブ編組織で編成するなどして編み組織が切り替わる部分で回し動作を行うようにすれば、回し動作の際に前後ベッド間で目移しにより捻られる編目を目立ち難くすることができる。
また、捻られた編目が目立つ場合には、回し動作を行う前の最終コースにおいて、回し動作により捻られる編目を予め捻られる方向と逆方向に捻られた編目として形成しておけばよい。
さらに、上記第１実施形態においては、手首部８ａの編成が完了した時点で回し動作を親指指袋が体の前面側に向くまで連続して行うようにしているが、手首部８ａの編成完了後、前後身頃９３ａ，９３ｂとの接合を開始するまでの間に回し動作を行えばよく、回し動作と袖部９２の編成を並行して行うことも可能である。
次に第２実施形態について説明する。第２実施形態の筒状編地は手袋であり、上記２枚ベッドの横編機を用いて、小指、薬指、中指、人差指、親指の指袋と、小指、薬指、中指、人差指が接合される四本胴と、四本胴及び親指の指袋が接合される５本胴とが継ぎ目の無い連続した筒状となるようにシームレスに編成される。
第２実施形態の手袋は、四本胴に対して親指の指袋が方向性を有している。第２実施形態は、小指、薬指、中指、人差指が挿入される四本胴と親指の指袋の接合にあたり、四本胴と親指の指袋の接合前に、四本胴に対して方向性を有する親指の指袋について、当該指袋が編成された直後の編目を空針への目移しと針床のラッキング動作により１／４周以下の範囲内で回し動作を行った後に、四本胴と親指の指袋の接合を行って、四本胴および親指の指袋を五本胴に連続させる編成を行うことにより手袋全体を人の手の形状に合った形状とすることを特徴とするものである。
本発明の第２実施形態について、図に基づいて説明する。図４は、本発明の編成方法で編成された手袋を示している。図５および図６は第２実施形態の手袋を編成するための編成手順を示す編成工程図である。なお、本実施形態では、ループの形成に使用する針間に目移し用の空針を配置した針抜き編成を行うが、図５、図６においては、ループの形成に使用する針のみを示し、ループの形成に使用する針間に配置され目移しに用いられる針を省略して示している。
第２実施形態は、７ゲージ、Ｍサイズの手袋の例を示しており、小指１は各ベッド（針床）９針（前後針床合わせて１８針）を使って指袋が編まれ、薬指２は前針床９針、後針床１０針（前後針床合わせて１９針）、中指３は各ベッド１０針（前後針床合わせて２０針）、人差指４は前針床１１針、後針床１０針（前後針床合わせて２１針）、そして親指５は各ベッド１１針（前後針床合わせて２２針）が使用される。
なお、前針床（ＦＢ）では奇数番目の針を、ループを形成するために用い、後針床（ＢＢ）の偶数番目の針を、ループを形成するために用いている。
まず、小指１、薬指２、中指３、人差指４の指袋を編成する。各指袋の編地は、掌側となる前側編地を前針床（ＦＢ）の編針で編成し、甲側となる後側編地を後針床（ＢＢ）の編針で編成している。そして、各指袋の編成が終了すると図５に示すステップ１の状態となる。小指１、薬指２、中指３、人差指４のそれぞれの前側編地および後側編地は、隣り合う編地の端部が、図５に示すように１針分空くように編針に係止されている。
そして、ステップ２に示すように、薬指２、中指３、人差指４の指袋の指股の編成を行う。指股の編成は、後針床における後側編地間の空いている針（偶数針）と、前針床における前側編地間の空いている針（奇数針）に増し目をしながら、人差指４、中指３、薬指２の順に後側編地を１コース連続編成することによりマチを有する人差指４と中指３の間の指股Ａ、中指３と薬指２の間の指股Ｂが編成される。
この状態から、人差指４、中指３、薬指２が連結された１つの筒状となるように１コース１周させて編成すると、ステップ３に示す三本胴６が編成され始める。ステップ３の状態では、三本胴６は、前後各ベッドの針にそれぞれ３２目ずつ係合された状態となっている。
ステップ３の三本胴６の編成により、人差指４、中指３、薬指２の指袋が三本胴６に接合された状態となる。
そして、三本胴６の編成は、ステップ３〜４の間に、人差指４の編目と中指３の編目をそれぞれ薬指２側に移動させながら、人差指４と中指３の境界で４目減らし、中指３と薬指２の境界で４目減らしていき、前後各ベッドの針にそれぞれ２４目が係止されたステップ４に示す状態にする。
具体的には、まず、前針床について、中指３と人差指４の編目全てと二つの増し目を、後針床の空針に目移しし、後針床における三本胴６の薬指２側端部の編目を前針床の空針に目移しして、後針床を右方向にラッキングし、薬指２と中指３の間に形成された増し目を、薬指２の端部の編目に目移しして重ね合わせ、さらに、後針床を右方向にラッキングして、後針床の空針に目移しした編目の全てを前針床の編針に目移し、中指３の端部の編目を薬指２の端部の編目に重ね合わせる。
次に、後針床について、中指３と人差指４の編目全てと二つの増し目を、前針床の空針に目移しし、後針床を左方向にラッキングして、中指３と薬指２の間になされた増し目を中指３の端部の編目に目移しして重ね合わせ、さらに、後針床を左方向にラッキングして、前針床の空針に目移しした中指３の編目の全てを後針床の編針に目移し、薬指２の端部の編目に中指３の端部の編目を重ね合わせるとともに、前針床の空針に目移しした三本胴６の薬指２側端部の編目を後針床に目移しする。
さらに、後針床を左方向にラッキングして、前針床の空針に目移しした中指３と人差指４の間に形成された増し目を後針床の編針に目移し、中指３の端部の編目に増し目を重ね合わせるとともに、前針床における三本胴６の薬指２側端部の編目を後針床の空針に目移しする。
そして、後針床を左方向にラッキングして、前針床の空針に目移しした人差指４の全ての編目を後針床の編針に目移し、中指３の端部の編目に人差指４の端部の編目を重ね合わせる。
次に、前針床の編針に係止されている人差指４の全ての編目と中指３と人差指４の間に形成された増し目を後針床の空針に目移しし、後針床を右方向にラッキングして、中指３の端部の編目に増し目を重ね合わせるとともに、後針床の空針に目移しした三本胴６の薬指２側端部の編目を前針床の編針に目移しする。
そして、後針床を右方向にラッキングして、後針床の空針に目移しした人差指４の全ての編目を前針床の編針に目移し、中指３の端部の編目に人差指４の端部の編目を重ね合わせる。
このように４目を減らした状態で前後のベッドにおいて１コース編成し、さらに、上記と同様にして４目を減らして１コース編成し、ステップ４の状態にする。
次に、ステップ５に示すように、三本胴６と小指１の間の指股Ｃを編成する。この場合も前記と同様に、後針床における後側編地間の空いている編針と、前針床における前側編地間の空いている編針に増し目をしながら、三本胴６から小指１の順に後側編地を１コース連続編成することによりマチを有する指股Ｃが編成される。
この状態から、三本胴６と小指１が連結された１つの筒状となるように１コース１周させて編成すると、ステップ６に示す四本胴７が編成され始める。ステップ６の状態では、四本胴７は、前後各ベッドの針にそれぞれ３４目ずつ係止された状態となっている。
ステップ６の四本胴７の編成により、三本胴６と小指１の指袋とが接合された状態となる。
そして、四本胴７の編成が行われた後に、親指５の指袋の編成を行うのであって、親指５の筒状編地と四本胴７の筒状編地が、前後のベッドにおいて編針１本を空けた状態で編成され、図６に示すステップ７の状態となる。
次に、ステップ８に示すように、編針に係止されている親指５の指袋の編地を回し動作するのであって、第２実施形態では、親指５の編地の編目について、各ベッドに係止される編地の端部の編目を、対向するベッドの編針へ目移しを行いながら、後針床をラッキングさせる動作を所定のピッチ数繰り返すことにより、回し動作を行う。
なお、親指５の指袋を編成するステップ７に示す最終コースにおいては、回し動作を行う目数だけ、目移ししたときに捩れが解消されるように予め捻らせてループを編成する。
さらに、回し動作の方向は、親指５における四本胴７から最も離れた編目が掌側に回り込む方向に１／４周以下の範囲内で回し動作を行う。本実施形態では、１／４周、図６においては針６本分を回転させる。
なお、親指５の回し動作は、四本胴７と親指５の指袋を接合する前の状態から、親指５における四本胴７から最も離れ編目が掌側に回り込む方向に３／２０周から１／４周の範囲内で回すことが好ましい。
次に、ステップ９に示すように、四本胴７と親指５の間の指股Ｄを編成する。指股Ｄの編成は、後針床における親指５と四本胴７の後側編地間の空いている編針と、前針床における親指５と四本胴７の前側編地間の空いている編針に増し目をするとともに、それぞれの増し目の針の両側の針はタックして、親指５から四本胴７の順に後側編地を１コース連続編成することによりマチを有する指股Ｄが編成される。
そして、ステップ９の編成後に、ステップ１０に示すように、増し目がされた針（＊で示す位置）にその両側の編目を目移しして、増し目に２つの編目を重ね合わせるように、全ての編目を隣の針に目移しする。
目移しの後、ステップ１１に示すように、前後のベッドにわたって１コース編成し、さらに、ステップ１２に示すように、増し目がされた針にその両側の編目を目移しして、増し目に２つの編目を重ね合わせるように、全ての編目を隣の針に目移しする。そして、ステップ１３に示すように、前後のベッドにわたって１コース編成して指股Ｄの編成を終了する。ステップ１３の状態では、五本胴８は、前後各ベッドの針にそれぞれ４２目ずつ係合された状態となっている。
ステップ９からステップ１３の五本胴８の編成により、四本胴７と親指５の指袋とが接合され、四本胴７と親指５の指袋とが五本胴８に連続編成された状態となる。
そして、ステップ１３により、四本胴７と親指５の指袋とが接合された後に、五本胴８の編幅を減らす編成を行うのである。
五本胴８の編幅を減らす編成は、五本胴８における親指側端部の編目を所定コース毎に重ね合わせながら編幅を減らして五本胴８を編成していくことにより行い、ステップ１４の状態で五本胴８の編成が完了する。
そして、五本胴８に連続して手首部分をリブ編で編成して手袋の編成が終了する。
第２実施形態の手袋は、以上のように、親指５の編目を１／４周回し動作した後に、親指５と四本胴７とを接合する編成を行っているので、図４に示すように、親指５における指袋の指先先端部の編目が１／４周回された状態で五本胴８に連続編成された状態にすることができる。
その結果、親指５の回し動作により、手袋着用時において、人の親指の腹部分に、親指５の指袋の編み始めに形成される指先カーブラインＸの両端こぶ部分Ｙが当たらなくなり、手袋装着時の違和感が無くなって作業性を向上できる。
なお、前記した各実施形態のうち、手袋については、人差指と中指の間、中指と薬指の間、薬指と小指の間の指股部の編成を図５のステップ２に示す編成方法で行い、親指と四本胴との間の指股部の編成を図６のステップ９に示す編成方法で行ったが、手袋を編成する際の各指股部の編成は、前記した実施形態に限らず、指股部のマチを小さくとりたい場合は、図５に示すステップ２に示す編成方法で指股部を編成し、指股部のマチを大きくとりたい場合には、図６のステップ９に示す編成方法で指股部を編成することができる。
さらに、第２実施形態の手袋は、作業用手袋について説明したが、本発明の筒状編地およびその編成方法は、ファッション用の手袋にも適用でき、さらに、５本指の手袋だけでなく、いわゆるミトンタイプの手袋についても適用できる。
上記第２実施形態においては、親指５の指袋の編成を四本胴７と接合する部分まで編成した時点で回し動作を行ったが、親指５の編み始めに形成される指先カーブラインＸを形成し終わった後、四本胴７と接合する部分まで編成する間であればいつでも回し動作を行うことができる。
このように、第１実施形態においても第２実施形態においても、所定の筒状部分（第１実施形態では袖部９２と前後身頃９３ａ，９３ｂ、第２実施形態では四本胴７）に対して方向性を有する筒状部分（第１実施形態では手袋部９１ａ，９１ｂ、第２実施形態では親指５指袋の指先カーブラインＸ）の回し動作を、方向性を有する筒状部分の形成完了後から、他の筒状部分（第１実施形態では袖部９２と前後身頃９３ａ，９３ｂ、第２実施形態では四本胴７）と接合するまでの間に行えばよい。
また、第１実施形態のニットウエアについては、手袋部９１ａ，９１ｂの編成は、従来の左右兼用手袋のように編成するようにしてもよいし、前記した第２実施形態のように親指の指袋を回し動作して編成するようにしてもよい。
さらに、第１実施形態のニットウエアについては、手袋部の形状は、５本指の手袋形状だけでなく、いわゆるミトンタイプの手袋形状や、指先がカットされた指切タイプの手袋形状にすることもできる。
また、第１実施形態のニットウエアは、セーターについて説明したが、カーディガンなど長袖タイプのニットウエアであれば、本発明を適用できる。
また、前記した各実施形態では、編地の編成を平編で行ったが、本発明は、リブ編や組織編などの他の編み方でも適用できる。
【図１】
2004020718.tif 000003
【図２】
2004020718.tif 000004
【図３】
2004020718.tif 000005
【図４】
2004020718.tif 000006
【図５】
2004020718.tif 000007
【図６】
2004020718.tif 000008
【図７】
2004020718.tif 000009
【手続補正書】
【提出日】平成17年5月11日(2005.5.11)
【手続補正１】
【補正対象書類名】明細書
【補正対象項目名】特許請求の範囲
【補正方法】変更
【補正の内容】
【特許請求の範囲】
【請求項１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて、複数の筒部が連続編成されて構成される筒状編地の編成方法であって、
筒状編地の全体形状を人体の構造に合った形状とするように、
方向性を有する筒部を所定の筒部に接合するに先立って、所定の筒部に対して方向性を有する筒部について、当該方向性を有する筒部の編目を目移しと、針床のラッキング動作により方向性を有する筒部における所定の筒部から最も離れた編目が所定の筒部に回り込む方向に所定量回し動作をした後、回された状態を維持した状態で方向性を有する筒部と所定の筒部とを連結させる編成を行うことを特徴とする筒状編地の編成方法。
【請求項２】
筒状編地が手袋部と袖部と身頃部とを有するニットウエアであって、手袋部について、当該手袋部が編成された直後の編目を空針への目移しと針床のラッキング動作により、親指の指袋がニットウエアの編成完了後に体の前面側に向くように回し動作をした後に、手袋部と袖部と身頃部とを連続編成させることを特徴とする請求の範囲１に記載の筒状編地の編成方法。
【請求項３】
筒状編地が四本胴と親指の指袋を有する手袋であって、四本胴と親指の指袋の接合前に、親指の指袋について、当該指袋が編成された編目を空針への目移しと針床のラッキング動作により１／４周以下の範囲内で回し動作を行った後に、四本胴と親指の指袋の接合を行って、四本胴および親指の指袋を五本胴に連続させる編成を行うようにしていることを特徴とする請求の範囲１に記載の筒状編地の編成方法。
【請求項４】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて、複数の筒部が連続編成されて構成される筒状編地であって、
筒状編地の全体形状を人体の構造に合った形状とするように、
方向性を有する筒部を所定の筒部に接合するに先立って、所定の筒部に対して方向性を有する筒部について、当該方向性を有する筒部の編目を目移しと針床のラッキング動作により方向性を有する筒部における所定の筒部から最も離れた編目が所定の筒部に回り込む方向に所定量回し動作をした後、回された状態を維持した状態で方向性を有する筒部と所定の筒部とを連結させる編成が行われて構成されたことを特徴とする筒状編地。
【国際調査報告】
2004020718.tif 000010
2004020718.tif 000011
2004020718.tif 000012
2004020718.tif 000013